(57)【要約】【課題】光色及び定格ランプ電力が異なる複数のランプを用いる場合において、点灯回路の数をランプの数よりも少なくし、さらに色温度の異なるランプの全光束を略一定にすることのできる照明装置を提供する。【解決手段】異なる３種類の所定の定格ランプ電力を有しかつ定格ランプ電力の最大のもの（第３ランプ３）１個とそれ以外の２個（第１のランプ１、第２のランプ２）の間で異なる光色を有する３個のランプと、定格ランプ電力の最小のものに接続される第１の点灯回路５と、それ以外の２個が並列的に接続される第２の点灯回路６と、第２の点灯回路６に２個のランプ（第１のランプ１、第２のランプ２）のいずれかを切換え接続する切換え手段４と、操作部８からの光色切換え信号が入力されることにより第２の点灯回路６を作動させるとともに指定された光色のランプを第２の点灯回路６に切換え接続し、第１の点灯回路を作動又は停止させる制御部７とを有する。【選択図】　　図１
2004039314.tif 000002
【特許請求の範囲】
【請求項１】
異なる３種類の所定の定格ランプ電力を有しかつ定格ランプ電力の最大のもの１個とそれ以外の２個の間で異なる光色を有する３個のランプと、定格ランプ電力の最小のものに接続される第１の点灯回路と、それ以外の２個が並列的に接続される第２の点灯回路と、第２の点灯回路に２個のランプのいずれかを切換え接続する切換え手段と、操作部からの光色切換え信号が入力されることにより第２の点灯回路を作動させるとともに指定された光色のランプを第２の点灯回路に切換え接続し、第１の点灯回路を作動又は停止させる制御部とを有することを特徴とする照明装置。
【請求項２】
前記第２の点灯回路は同種類のフィラメント加熱回路を有することを特徴とする請求項１記載の照明装置。
【請求項３】
前記ランプ電力の最大のもの１個を点灯した場合の光束とそれ以外の２個のものを点灯した場合の光束が略一定であることを特徴とする請求項１又は２記載の照明装置。
【請求項４】
前記のランプは環状蛍光灯であって、各ランプを同心円上で、同一平面上に配設することを特徴とする請求項３記載の照明装置。
【請求項５】
前記点灯回路は、操作手段からの操作信号を受けて各ランプを調光する調光機能を有することを特徴とする請求項１乃至４記載の照明装置。
【発明の詳細な説明】
【０００１】
【発明の属する技術分野】
本発明は、光色の異なる複数のランプを適宜に点灯制御することにより光色を変えることができる照明装置に関するものである。
【０００２】
【従来の技術】
この種の照明装置として、特開平１１−１９１４９５に示されるものが存在する。このものは、色温度が等しい複数のランプと、そのランプと異なる色温度を有する少なくとも一つの他のランプと、各々のランプを個別に付勢する点灯回路と、色温度が略等しい複数のランプによる合計の照度と他のランプによる合計の照度が略等しくなるように各々のランプからの光出力を調整する。このような構成により、色温度の異なるランプの全光束を略一定にすることができる。
【０００３】
【発明が解決しようとする課題】
ところで、特開平１１−１９１４９５においては、点灯回路の個数がランプの個数分、若しくは共通のもの一つ必要であった。点灯回路を共通のもの一つとした場合には、ランプの電力が異なる為、設計上困難になることがあった。
【０００４】
本発明は、このような従来例を踏まえてなしたものであり、その目的とするところは、光色及び定格ランプ電力が異なる複数のランプを用いる場合において、点灯回路の数をランプの数よりも少なくし、さらに色温度の異なるランプの全光束を略一定にすることのできる照明装置を提供することである。
【０００５】
【課題を解決するための手段】
請求項１の発明は、異なる３種類の所定の定格ランプ電力を有しかつ定格ランプ電力の最大のもの１個とそれ以外の２個の間で異なる光色を有する３個のランプと、定格ランプ電力の最小のものに接続される第１の点灯回路と、それ以外の２個が並列的に接続される第２の点灯回路と、第２の点灯回路に２個のランプのいずれかを切換え接続する切換え手段と、操作部からの光色切換え信号が入力されることにより第２の点灯回路を作動させるとともに指定された光色のランプを第２の点灯回路に切換え接続し、第１の点灯回路を作動又は停止させる制御部とを有することを特徴とする。
【０００６】
請求項２の発明は、請求項１記載の構成において、前記第２の点灯回路は同種類のフィラメント加熱回路を有することを特徴とする。
【０００７】
請求項３の発明は、請求項１乃至２記載の構成において、前記ランプ電力の最大のもの１個を点灯した場合の光束とそれ以外の２個のものを点灯した場合の光束が略一定であることを特徴とする。
【０００８】
請求項４の発明は、請求項３記載の構成において、前記のランプは環状蛍光灯であって、各ランプを同心円上で、同一平面上に配設することを特徴とする。
【０００９】
請求項５の発明は、請求項１乃至４記載の構成において、前記点灯回路は、操作手段からの操作信号を受けて各ランプを調光する調光機能を有することを特徴とする。
【００１０】
【発明の実施の形態】
図１は、本実施形態のブロック図である。１は第１のランプで、たとえば二重環形の蛍光灯である。このものは、光色が色温度３０００Ｋの電球色である。さらに定格ランプ電力は４１Ｗであって、定格ランプ電力が最小のものである。そして、その外径は１９２ｍｍ、内径は１０６ｍｍである。２は第２のランプで、これも第１のランプと同様に二重環形の蛍光灯である。このものも、光色が色温度３０００Ｋの電球色である。さらに定格ランプ電力は６８Ｗであって、その外径は２９６ｍｍ、内径は２１０ｍｍである。３は第３のランプであって、これも第１のランプと同様に二重環形の蛍光灯である。このものは、光色が色温度５０００Ｋの昼白色である。さらに定格ランプ電力は９７Ｗであって、定格ランプ電力が最大のものである。そして、外径は４００ｍｍ、内径は３１４ｍｍである。４は切換え手段であり、１つの入力端子と２つ出力端子とを有するいわゆる切換え接点形のリレーである。５、６は点灯回路であって、図２に示すように主にダイオードブリッジ２１及びコンデンサ２２で構成される整流平滑回路と、整流平滑回路に接続される２つのトランジスタ２４、２５とその駆動回路２６によって構成されるインバータ回路を有する。この回路に商用交流電源が接続されると、商用交流電圧は整流平滑回路によって直流電圧に変換され、直流電源として機能し、インバータ回路に供給される。そして、インバータ回路を構成している２つのトランジスタ２４、２５は駆動回路２６から交互に出力される信号により、交互にスイッチングされ、高周波電力が発生し、第１のランプ１、第２のランプ２又は第３のランプ３に給電する。また、駆動回路２６は後述の制御部７からの調光信号を受け（図示は省略）、トランジスタ２４、２５のスイッチングの周波数を変化させることにより、光束を変えるいわゆる調光の機能も有している。蛍光ランプの点灯回路においては、一般にフィラメントを加熱する必要があり予熱回路を有する。第１の点灯回路５においては、第１のランプ１に並列に接続されるコンデンサ２７に電流が流れてフィラメントを加熱する。第２の点灯回路６においては、巻線部２８に発生する起電力によってフィラメントを加熱する。一般には、コンデンサによるフィラメント加熱の方が、巻線部を用いたフィラメント加熱よりも安価である。そこで、第１のランプ１は、コンデンサ２７によりフィラメントを加熱するようにしている。一方、前述の第２のランプ２と第３のランプ３は、第１のランプ１に比べランプの管長が長くなるので、ランプを始動させるために必要な始動電圧及びランプ点灯時のランプ印加電圧が高くなる。この場合には、コンデンサによってフィラメントを加熱とすると、フィラメントに流れる電流が増大し、ランプの寿命が短くなるので巻線部２８を用いたフィラメント加熱としているのである。７は制御部であり、図２に示すように、操作部８からの操作信号を受ける。ここで操作部８にはリモコンを用いた。制御部７は、操作部８からの赤外線信号を受信する操作信号受信部３１と、操作部８からの信号の種類を判別して、第１の第１の点灯回路５、第２の点灯回路６の電源スイッチのオン、オフを行うリレー３２、３３及び切換え手段４の各操作回路に出力信号を出力するマイコン３４と、マイコンの出力部に接続されスイッチとして作用するトランジスタ３５及び抵抗３６、３７からなる。また、制御部７の出力は、第１の点灯回路５のリレー３２と、第２の点灯回路６のリレー３３と、切換え手段４に接続されている。
【００１１】
この照明装置は、図３及び図４に示す照明器具に収納される。図３は照明器具のカバーの一部を切り欠いた状態の断面図である。図４は図３の下面図である。この照明器具は、天井に直付けして使用するものである。５１は照明器具の器具本体であって、略円板形状で、内部に前述した第１の点灯回路５、６、制御部７、切換え手段４を収納する収納空間を有するもので、鉄板等の材料で形成されている。５２は照明器具の光拡散性の透光カバーであり、器具本体５１の前面に装着され外殻となるもので、樹脂等の材料で形成される。そして、各ランプ１、２、３は、同心円上であって、かつ同一水平面上に配設する。ここで前述のように、蛍光灯１は外径１９２ｍｍ、内径１０６ｍｍ、蛍光灯２は外径２９６ｍｍ、内径は２１０ｍｍ、蛍光灯２は外径４００ｍｍ、内径３１４ｍｍであるので同心円の中心から第１のランプ１、第２のランプ２、第３のランプ３の順番で配設する。
【００１２】
つぎにこの照明装置の動作について説明する。
まず、電球色を得たい場合には、リモコン８によって制御部７に所定の信号が送出され、マイコン３４によって信号の種類が判別される。そして、マイコン３４から操作信号が出力され、第１の点灯回路５のリレー３２と第２の点灯回路６のリレー３３は閉成する。そして、同様にマイコン３４から操作信号により切換え手段４は第２の点灯回路６と第２のランプとを接続する。これにより、第１の点灯回路５及び第２の点灯回路６は商用交流電源に接続され、第１のランプ１は第１の点灯回路５を介して商用交流電源から給電されて点灯する。また、第２のランプは第２の点灯回路６及び切換え手段４を介して商用交流電源から給電されて点灯する。すなわち、電球色である第１のランプ１と第２のランプ２とが点灯する。
【００１３】
つぎに、昼白色を得たい場合は、操作部８から送出された所定の信号を制御部７のリモコン信号受信部３１が受信し、マイコン３４に信号を送出する。マイコン３４は、信号の種類を判別し、リレー３３に操作信号を送出する。リレー３３は、操作信号を受けて閉成する。ここで、切換え手段４は操作信号が無いときには、第３のランプ３に接続される。これにより、第２の点灯回路６は第３のランプ３に接続され、第２の点灯回路６は商用交流電源に接続され、第３のランプ３は第２の点灯回路６を介して商用交流電源から給電されて点灯する。これにより、昼白色である第３のランプ３のみが第２の点灯回路６を介して商用交流電源から給電されて点灯する。
【００１４】
以上の動作により、電球色を得る場合には、定格ランプ電力が４１Ｗの第１のランプ１と６８Ｗの第２のランプを同時に点灯させ、また、昼白色を得る場合には、定格ランプ電力が９７Ｗの第３のランプ３みを点灯させることとなる。したがって、電球色を得た場合、第１のランプ１と第２のランプ２の定格ランプ電力の合計は１０９Ｗである。一方、昼白色を得た場合、定格ランプ電力は９７Ｗである。すなわち、電球色を得た場合と昼白色を得た場合の定格ランプ電力の差は１２Ｗであるが、電球色の場合には、２個のランプが同時に点灯するので、ランプ内の電極等での電力ロスが大きくなるので、結果的に両者の光束の差は５％以内に収めることができる。
【００１５】
なお、本実施形態では、制御部７への信号発生手段としてリモコンを使用したが、機械的スイッチを用いてもよい。ランプの光色として、電球色と昼白色を用いたが、温白色や、白色など他の光色を用いてもよい。
【００１６】
【発明の効果】
請求項１に係る発明の構成は、異なる３種類の所定の定格ランプ電力を有しかつ定格ランプ電力の最大のもの１個とそれ以外の２個の間で異なる光色を有する３個のランプと、定格ランプ電力の最小のものに接続される第１の点灯回路と、それ以外の２個が並列的に接続される第２の点灯回路と、第２の点灯回路に２個のランプのいずれかを切換え接続する切換え手段と、操作部からの光色切換え信号が入力されることにより第２の点灯回路を作動させるとともに指定された光色のランプを第２の点灯回路に切換え接続し、第１の点灯回路を作動又は停止させる制御部とを有するので、光色及び定格ランプ電力が異なる複数のランプを用いる場合にも、点灯回路の個数を少なくすることができるのである。
【００１７】
請求項２に係る発明の構成は、請求項１記載の構成において、前記第２の点灯回路は同種類のフィラメント加熱回路を有することとしたので、切換え手段を切換えて２個のランプのいずれかを点灯することができるのである。
【００１８】
請求項３に係る発明の構成は、請求項１又は２の構成において、前記ランプ電力の最大のもの１個を点灯した場合の光束とそれ以外の２個のものを点灯した場合の光束が略一定にしたので、各色温度においても同一空間で必要な照度
を得ることができるのである。
【００１９】
請求項４に係る発明の構成は、請求項１乃至３の構成において、前記のランプは環状蛍光灯とし、各ランプを同心円上で、同一平面上に配設するようにしたので、請求項１乃至３の効果に加え、器具の厚みを薄くすることができるのである。
【００２０】
請求項５に係る発明の構成は、請求項１乃至４記載の構成において、前記点灯回路が操作手段からの操作信号を受けて各ランプを調光する調光機能を有することとしたので、請求項１乃至４の効果に加え、各色温度で使用者の好みに応じた照度を得ることができるのである。
【図面の簡単な説明】
【図１】本実施形態のブロック図である。
【図２】本実施形態の回路図である。
【図３】照明器具のカバーの一部を切り欠いた状態の断面図である。
【図４】照明器具のカバーの一部を切り欠いた状態の下面図である。
【符号の説明】
１　　第１のランプ
２　　第２のランプ
３　　第３のランプ
４　　切換え手段
５　　第１の点灯回路
６　　第２の点灯回路
７　　制御部
８　　操作部
【図１】
2004039314.tif 000003
【図２】
2004039314.tif 000004
【図３】
2004039314.tif 000005
【図４】
2004039314.tif 000006